(57)【要約】【課題】収容槽の扉体の閉成時に、収容槽の内側から所定以下の力で扉体を開けることができる衣類処理装置を実現する。【解決手段】ラッチ２の爪部４０がドアスイッチ装置４の係止部４５に係止されるとともに摺接する摺接部４１を、爪部４０が係止部４５に係止された状態のまま扉体１を開成させようとしたときに最初に係止部４５に働く外力Ｐ１の方向と鈍角をなすとともに、前記鈍角が異なる連続した面（４１ａ，４１ｂ）で構成することにより、収容槽の内側から力を加えると、ラッチ２は係止部４５から反力を受けて回転し、収容槽の扉体１を開くことができ、また、第１の平面４１ａではラッチ２が回転しはじめるまでの力を所定値近くまで上げることで、収容槽内の衣類の反力により容易に扉体１が開いてしまうことを防ぎ、第２の平面４１ｂ以降で扉体１を容易に開くことができるようにして、扉体１を内側から開くための力を設定することができる。【選択図】図６
2014018450.tif 000002
【特許請求の範囲】
【請求項１】
筐体の正面側に形成され、衣類を収容する収容槽に対して衣類を出し入れするための開口部を開閉自在に覆う扉体と、前記扉体をロックするドアスイッチ装置とを備え、前記扉体が有するラッチに形成された爪部が前記ドアスイッチ装置に形成された係止部に係止されるように構成され、前記爪部が前記係止部に係止される摺接部は、前記爪部が前記係止部に係止された状態のまま前記扉体を開成させようとしたときに最初に前記係止部に働く外力の方向と鈍角をなすとともに、前記鈍角が異なる連続した面で構成される衣類処理装置。
【請求項２】
前記連続した面は２つ以上の平面で構成され、前記爪部の先端側の平面ほど前記鈍角が大きくなるように形成された請求項１記載の衣類処理装置。
【請求項３】
前記連続した面は、凸状曲面で構成された請求項１記載の衣類処理装置。
【発明の詳細な説明】
【技術分野】
【０００１】
本発明は、衣類を洗濯、脱水及び／又は衣類を乾燥するために衣類を収容する収容槽を有する衣類処理装置に関するものである。
【背景技術】
【０００２】
従来の衣類処理装置の１つであるドラム式洗濯機において、洗濯物を出し入れする扉体の開閉を操作する扉体開閉構造について開示されたものがある（例えば、特許文献１参照）。
【０００３】
図１１は従来のドラム式洗濯機の外観を示す斜視図、図１２はその扉体開閉構造を示す平面図である。特許文献１に記載されたドラム式洗濯機の扉体開閉構造は、洗濯機筐体２の正面側に設けられた扉体８に隣り合う位置に扉開ボタン５６を設け、扉開ボタン５６の押圧操作により係合スプリング６９を介して開閉ロック部５９の係止板１１３を回動させ、ラッチ受９１に嵌入した扉体８のラッチ９０の係止を解除することにより扉体８が開かれる。係止解除の検出により扉体８が開いた状態は検出されると、洗濯兼脱水槽５の回転が停止される。そして、運転中には係止板１１３の回動はソレノイド１１５によるロックにより阻止されるので扉体８は開くことはできず、扉開ボタン５６の押圧操作は係合スプリング６９の変位により吸収されて無理な力が加わることによる各部の損傷が防止されるというものである。
【先行技術文献】
【特許文献】
【０００４】
【特許文献１】特開２００５−１３７５０８号公報
【発明の概要】
【発明が解決しようとする課題】
【０００５】
しかしながら、このような従来の洗濯機の扉体開閉構造におけるラッチ構造では、扉体を閉めた際に、ラッチが係止板により確実に係止されて扉体が閉じた状態に固定されるもので、万一、子供が洗濯機の収容槽内に閉じ込められたような場合を想定して、収容槽の内側から所定以下の力で扉体を開けられるような構造にすることについての開示はされていない。
【０００６】
本発明は、上記従来の課題を解決するもので、洗濯機の扉体を閉めた状態でも、収容槽の内側から扉体を押すと、所定以下の力で扉体を開くことができ、かつ、通常の洗濯や乾燥中に収容槽内の衣類の反力などでは容易に扉体が開いてしまうことがない衣類処理装置を提供することを目的とする。
【課題を解決するための手段】
【０００７】
本発明は上記目的を達成するために、筐体の正面側に形成され、衣類を収容する収容槽に対して衣類を出し入れするための開口部を開閉自在に覆う扉体と、前記扉体をロックするドアスイッチ装置とを備え、前記扉体が有するラッチに形成された爪部が前記ドアスイッチ装置に形成された係止部に係止されるように構成され、前記爪部が前記係止部に係止される摺接部は、前記爪部が前記係止部に係止された状態のまま前記扉体を開成させようとしたときに最初に前記係止部に働く外力の方向と鈍角をなすとともに、前記鈍角が異なる連続した面で構成された衣類処理装置である。
【０００８】
これにより、扉体に収容槽の内側から力を加えると、ラッチの爪部は係止部から反力を
受け、爪部が係止される係止部との係止寸法が減少する方向への分力を受ける。その結果、ラッチが回転して爪部が係止される係止部との係止寸法がなくなって、扉体を開くことができる。また、爪部が係止部で係止される摺接部が最初の外力の方向となす鈍角が異なる連続した面で構成されることから、扉体の閉成時に係止される摺接部の最初の位置では、ラッチが回転しはじめるために必要な力を所定値近くまで上げることで、収容槽内の衣類の反力により容易に扉体が開いてしまうことを防ぎ、摺接部のそれ以降の位置では、ラッチへの他の付勢力などがあったとしても、扉体を内側から開くのに必要な力が所定の力を超えないように設定することができる。
【発明の効果】
【０００９】
本発明の衣類処理装置では、収容槽の扉体を閉めた状態でも、収容槽の内側から扉体へ力を加えると、所定以下の力で扉体を開くがことができる衣類処理装置を提供することができる。
【図面の簡単な説明】
【００１０】
【図１】本発明の実施の形態における衣類処理装置の扉体を開放した状態を示す斜視図
【図２】本発明の実施の形態における衣類処理装置の扉体のラッチとドアスイッチ装置の斜視図
【図３】（ａ）本発明の実施の形態における衣類処理装置のラッチがドアスイッチ装置に挿入された経過を示す要部断面図（ｂ）同衣類処理装置の押し板部がドアスイッチ装置に挿入された経過を示す要部断面図
【図４】本発明の実施の形態におけるドアスイッチ装置の内部構成を示す斜視図
【図５】本発明の実施の形態におけるドアスイッチ装置の摺動部材を取り除いた状態の内部構成を示す平面図
【図６】本発明の実施の形態１における衣類処理装置のラッチの形状を示す正面図
【図７】本発明の実施の形態１における衣類処理装置の収容槽の内側から扉体が押された場合のラッチとドアスイッチ装置の関係図で（ａ）初期状態を示す図（ｂ）中間段階状態を示す図（ｃ）扉体開成直前状態を示す図
【図８】本発明の実施の形態１における衣類処理装置の収容槽の内側から扉体が押される外力とラッチの係止寸法との関係を示す図
【図９】本発明の実施の形態２における衣類処理装置のラッチの形状を示す正面図
【図１０】本発明の実施の形態２における衣類処理装置の収容槽の内側から扉体が押される外力とラッチの係止寸法との関係を示す図
【図１１】従来のドラム式洗濯機の外観を示す斜視図
【図１２】従来のドラム式洗濯機の扉体開閉構造を示す平面図
【発明を実施するための形態】
【００１１】
第１の発明の衣類処理装置は、筐体の正面側に形成され、衣類を収容する収容槽に対して衣類を出し入れするための開口部を開閉自在に覆う扉体と、前記扉体をロックするドアスイッチ装置とを備え、前記扉体が有するラッチに形成された爪部が前記ドアスイッチ装置に形成された係止部に係止されるように構成され、前記爪部が前記係止部に係止される摺接部は、前記爪部が前記係止部に係止された状態のまま前記扉体を開成させようとしたときに最初に前記係止部に働く外力の方向と鈍角をなすとともに、前記鈍角が異なる連続した面で構成される。
【００１２】
これにより、扉体に収容槽の内側から力を加えると、ラッチの爪部は係止部から反力を受け、爪部が係止される係止部との係止寸法が減少する方向への分力を受ける。その結果、ラッチが回転して爪部が係止される係止部との係止寸法がなくなって、扉体を開くことができる。また、爪部が係止部で係止される摺接部が最初の外力の方向となす鈍角が異な
る連続した面で構成されることから、扉体の閉成時に係止される摺接部の最初の位置では、ラッチが回転しはじめるために必要な力を所定値近くまで上げることで、収容槽内の衣類の反力により容易に扉体が開いてしまうことを防ぎ、摺接部のそれ以降の位置では、ラッチへの他の付勢力などがあったとしても、扉体を内側から開くのに必要な力が所定の力を超えないように設定することができる。
【００１３】
第２の発明は、第１の発明において、前記連続した面は２つ以上の平面で構成され、前記爪部の先端側の平面ほど前記鈍角が大きくなるように形成されたもので、扉体の閉成時に係止される摺接部の最初の位置では、ラッチが回転しはじめるために必要な力を所定値近くまで上げることで、収容槽内の衣類の反力により容易に扉体が開いてしまうことを防ぎ、摺接部のそれ以降の位置で、扉体を小さな力で容易に開くことができるように設定することができるため、安全な衣類処理装置を提供することができる。
【００１４】
第３の発明は、上記第１の発明において、前記連続した面は、凸状曲面で構成されたもので、ラッチを付勢しているバネ等に対向し、より安定して扉体を開く力を調整することができる衣類処理装置を提供することができる。
【００１５】
以下、本発明の実施の形態について、図面を参照しながら説明する。また、この実施の形態によって本発明が限定されるものではない。
【００１６】
（実施の形態１）
図１は本発明の第１の実施の形態における衣類処理装置の斜視図で扉体を開放した状態を示す。図２は衣類処理装置の扉体のラッチとドアスイッチ装置斜視図である。図３は衣類処理装置の（ａ）ラッチ（ｂ）押し板部がドアスイッチ装置に挿入された経過を示す要部断面図である。
【００１７】
図１において、衣類処理装置の扉体１にラッチ２が設けられ、筐体３にラッチ２と対向するようにドアスイッチ装置４が設けられ、扉体１を閉めた時、ドアスイッチ装置４のラッチ挿入穴２１にラッチ２が収まるように構成されている。
【００１８】
図２において、扉体１にはラッチ２を回転させるためのレバー５が設けられ、ラッチ２と一体でレバー５により回転する押し板部２２が設けられている。ドアスイッチ装置４は、ラッチ２が挿入されるラッチ挿入穴２１と、押し板部２２が挿入される扉体開検知用穴２３とを有している。またレバー５はラッチ２がドアスイッチ装置４に係止される方向にバネ（図示せず）により付勢されており、扉体１を開成する時には、レバー５を引くことによりラッチ２を回転させる。
【００１９】
図３において、ラッチ２が挿入されるラッチ挿入穴２１の内側には箱状に形成された摺動部材６が設けられている。扉体１を閉めると、ラッチ２がドアスイッチ装置４のラッチ挿入穴２１に挿入され、摺動部材６は奥方向（図３（ａ）の右方向）に摺動する。この動きによってラッチ２の爪部４０がドアスイッチ装置４の係止部４５に係止されるとともに、箱型の摺動部材６がラッチ２を抑える。また、ラッチ２と一体に設けられた押し板部２２が、ドアスイッチ装置４の扉体開検知用穴２３に挿入された時、扉体１の開閉を検知するためのボタン２５を奥方向（図３（ｂ）の右方向）に押し込む。また、押し板部２２のボタン２５との当接面は平面で構成されている。
【００２０】
図４はドアスイッチ装置の内部構成を示す斜視図、図５はドアスイッチ装置の摺動部材を取り除いた状態の内部構成を示す平面図である。図４において、ラッチ２により摺動する摺動部材６はスプリングＡ２４によりＣ方向に付勢されており、扉体１を開くためレバー５を引き、ラッチ２を係止部４５から外すように回転させると、Ｃ方向に摺動部材６も
移動する。扉体１を閉めると、ボタン２５は押し板部２２により押されるとスプリングＢ２６を介してスイッチＡ２７を押し、スイッチＡ２７はＯＮ状態となる。扉体１を開いてラッチ２と一体で設けた押し板部２２がボタン２５から離れると、スイッチＡ２７はＯＦＦ状態となる。
【００２１】
衣類処理装置を運転する時には、扉体１にロックを掛ける。扉体１にロックを掛ける方法は、図５において、ソレノイド１０に通電し、保持手段１３を介して連結機構部品２８を図面上縦方向に移動させる。図５は摺動部材６を取り除いた図であるが、連結機構部品２８の先端には突起部３０を有しており、突起部３０が移動することにより摺動部材６を固定したり、解除したりすることができる。このようにして摺動部材６を固定することにより、ラッチ２が回転しないようにして扉体１にロックを掛けることができる。
【００２２】
なお、保持手段１３がソレノイド１０により移動するとスプリングＣ２９を介して回転レバー３５を回転させて、スイッチＢ３１を押すことにより、ロック状態ではＯＮ、解除状態ではＯＦＦになることによりロック状態か解除状態かを検知することができる。スイッチＡ２７とスイッチＢ３１にリード線３２、３３に接続されており、筐体３内にある制御装置（図示せず）に開閉信号を送ることができる。特に、スイッチＡ２７がＯＦＦになっている状態では、扉体１が開いている状態にあると判断し、制御装置はドラムの回転を速やかに停止させる。
【００２３】
扉体１を開くためレバー５を引きラッチ２を回転させると、ドアスイッチ装置４のラッチ挿入穴２１に収まっているラッチ２も回転し、摺動部材６を摺動させるとともに爪部４０が係止部４５から外れる。このようにして扉体１を開くことができる。扉体１を閉める時は、レバー５とともにラッチ２が付勢力を有しているため、扉体１を押して閉成することによりドアスイッチ装置４のラッチ挿入穴２１にラッチ２の先端部が挿入され、摺動部材６を摺動させることにより、扉体１を閉成状態に保持することができる。
【００２４】
図６は実施の形態１における衣類処理装置のラッチの形状を示す平面図である。図７は収容槽の内側から扉体が押された場合のラッチとドアスイッチ装置の関係図で、（ａ）初期状態（ｂ）中間段階状態（ｃ）扉体開成直前状態を示す。図６、図７を用いて、扉体１が閉められた状態から、扉体１を内側から押した場合の動作と作用を説明する。扉体１を内側から押すという動作は、子供が洗濯層内に閉じ込められたような万一のときのことを想定したものである。
【００２５】
図６において、ラッチ２は、先端の爪部４０と、爪部４０を支える支持部４２と、レバー５と連動して回転する回転軸４３とを有する。本実施の形態１においては、ラッチ２の爪部４０で、ドアスイッチ装置４の係止部４５に係止されるとともに係止部４５と摺動する摺接部４１の形状に特徴を有する。具体的には、摺接部４１は、扉体１が閉成されており、爪部４０が係止部４５に係止された状態のまま扉体を内側から開成させようとして押された時に、最初に係止部４５に働く外力Ｐ１の方向と鈍角をなすとともに、この鈍角が異なる連続した面で構成されている（例えば、図６の第１の平面４１ａの角度Ｆを１２°、第２の平面４１ｂの角度Ｇを２４°とする）。
【００２６】
図７（ａ），（ｂ），（ｃ）は、扉体１が閉められた状態から開く直前までの、ラッチ２とドアスイッチ装置４の係止部４５の関係を示している。図７（ａ）の初期状態において、ラッチ２の摺接部４１は、扉体１の内側よりＤ方向に力が加わると、ドアスイッチ装置４の係止部４５から、図面上左方向に反力（分力Ｐ４）を受ける形状となっている。すなわち、摺接部４１と係止部４５との接点にＤ方向に外力Ｐ１が作用すると、摺接部４１と垂直方向に反力Ｐ２が発生し、反力Ｐ２の分力は分力Ｐ３とＰ４となる（反力と分力のベクトルを矢印により示す）。これにより、ラッチ２が回転軸４３を中心として時計方向
に回転しはじめ、次第に図７（ｂ）の中間段階状態に変化する。この状態になると、シール部１ａと筐体３との間に隙間が発生し始める。ここで、図７（ｂ）は第１の平面４１ａから第２の平面４１ｂに変化する際の状態を示している。さらに扉体１の内側より力が加わると、さらにラッチ２が回転し、爪部４０と係止部４５との係止寸法が減少し、ついには扉体１が開く構造となっている。図７（ｃ）は扉体１が開く直前の状態を示している。
【００２７】
図８は実施の形態１における衣類処理装置の収容槽の内側から押される外力と、ラッチの係止寸法との関係を示す図である。図８を用いて、本実施の形態１のラッチ２の摺接部４１の形状について、２段階の平面を設けている効果を説明する。図８に示す特性線Ｊは、２段階の平面を設けた場合に、扉体１の内側からの力に対してラッチ２が回転し、係止寸法が減少して扉体が開くまでの推移を示している。一方、特性線Ｋは、例えば図６に示す角度Ｆを１９°として摺接部４１の平面を１つで構成した場合の同推移を示している。
【００２８】
図８に示すとおり、扉体１の内側から加える力に上限を設けた所定の力があると仮定し、その所定の力以下で扉体１が開かなければならないとした場合、平面を１つで構成した特性線Ｋの場合の推移では、特性線Ｊの推移と比較すると、初期状態から弱い力でラッチ２が時計方向に回転することで係止寸法が減少しはじめる。このように弱い力でもラッチ２が回転し始め、扉体１が外側へ開くようになると、運転時に水漏れが発生しやすくなる。そのため、ラッチ２が回転し始める力は、できる限り所定の力に近いことが望ましい。加えて、扉体１が開くまでの間に、所定の力以上となってラッチ２が係止してしまうことなく、扉体１が開くことが求められる。
【００２９】
そのため、本実施の形態１のラッチ２は、第１の平面４１ａの角度を小さく設定し、ラッチ２が初動するまでの力を上げている。これは、そのままの角度で一定とすると、所定の力を超えてしまう（図８の特性線Ｊ１（二点鎖線））。これは、ラッチ２を付勢しているバネの力が大きくなることによる。このままでは、所定の力以下で扉体１が開かなくなってしまうため、ラッチ２が回転する途中で第２の平面４１ｂに移り、第２の平面４１ｂは角度を大きく設定することで、ラッチ２を回転しやすくし、所定の力以下で扉体１が開くようになる。特性線Ｋ（１平面形状）と比較すると、特性線Ｊ（２平面形状）の推移は、ラッチ２が初動する力が大きく、所定の力以上になる前に、第２の平面４１ｂに移ることで、所定以下の力で扉体１を開けることを実現している。
【００３０】
以上のように、本実施の形態において、収容槽の内側から力を加えると、ラッチ２は、係止部４５から反力を受け、ラッチ２の係止寸法が減少する方向（時計回転方向）への分力Ｐ３を受ける。その結果、ラッチ２が回転し、収容槽の扉体１を開くことができる。また、係止する摺接部４１を最初の外力Ｐ１と鈍角をなす複数の平面で構成していることから、第１の平面４１ａではラッチ２が初動（回転）しはじめるまでの力を所定値近くまで上げることで、収容槽内の衣類の反力により容易に扉体１が開いてしまうことを防ぎ、第２の平面４１ｂ以降で、扉体１を容易に開くことができるようにして、扉体１を内側から開成させるのに必要な力を調整し、設定することができる。
【００３１】
なお、図８の収容槽の内側から扉体１を押す力は、ラッチ２が徐々に回転することによってラッチ２の係止寸法が変わるために、摺接部４１の角度の変化に加えて、ラッチ２に付勢しているバネの力も変化する。従って、特性線Ｊ，Ｋの傾きは、これらの兼ね合いから調整されるものであって、本実施の形態１で説明したものに限らず、種々のパターンに設定できるものである。要は、第１の平面４１ａでラッチが回転し始めるために必要な力を所定値近くまで上げるようにし、第２の平面４１ｂで扉体１を容易に開くことができるようにすればよい。
【００３２】
また、本実施の形態１では、ラッチ２の摺接部４１を２つの平面で構成したが、３平面
以上で構成してもよい。また、摺接部は平面に限らず、曲面としてもよい。
【００３３】
（実施の形態２）
本発明の実施の形態２におけるラッチは、係止部と接触して係止する摺接部を曲面のみで構成したものである。他の構成は上記実施の形態１と同じであり、詳細な説明は省略する。
【００３４】
図９は実施の形態２における衣類処理装置のラッチの形状を示す正面図、図１０は収容槽の内側から押さる外力と、ラッチの爪部の係止部への係り代の関係を示す図である。図９において、摺接部５１は凸状の曲面の組み合わせで構成している。ここで、支持部４２の側面４２ａと交わる摺接部５１の接線角度は、係止部４５に最初に働く外力の方向と鈍角をなすように形成されている。以上のように構成されたラッチ２について、その動作、作用を説明する。
【００３５】
図９に示すとおり、本実施の形態２のラッチ２の摺接部５１は、凸状曲面で構成していることを特徴としている（例えば、先端に向かうほど、Ｒが小さくなる形状）。凸状曲面の場合は、外力Ｐ１の方向とその曲面の接線との角度において、連続的に鈍角が大きくなる構成である。この曲面形状は、扉体１の内側からの力と、ラッチ２が回転方向に受ける反力と、ラッチ２の付勢力により決定される。
【００３６】
図１０を用いて、本実施の形態１２のラッチ２の摺接部５１の形状について、曲面で構成している効果を説明する。図１０の特性線Ｌは、ラッチ２の摺接部５１を曲面で構成した場合に、扉体１内側からの力に対してラッチ２が回転して係止寸法が減少して扉体１が開くまでの推移を示している。一方、特性線Ｋは実施の形態１と同様、平面を１つ（例えば水平より１９°）で構成した場合の同推移を示している。本実施の形態２のラッチ２は、凸状曲面形状で構成しているが、先端に向かうほどＲが小さくなっていることで、ラッチ２が初動するまでの力を上げるとともに、係止寸法が減少しても所定の力を超えないようにしている。このＲ寸法は、ラッチ２が分力Ｐ３により回転する中で、ラッチ２の付勢力とラッチ２が回転方向に受ける分力Ｐ３の関係により算出されたものである。これにより特性線Ｌの推移のように、所定の力以下で安定して扉体１を開けられることを実現している。
【００３７】
なお、本実施の形態では、ラッチ２の摺接部４１，５１の形状のみ取り上げたが、その他の外形や構成などは本実施の形態で限定されるものではない。
【産業上の利用可能性】
【００３８】
以上のように、本発明にかかる衣類処理装置は、収容槽の扉体を閉めている際でも、収容槽の内側から、所定以下の力の範囲で扉体を開くことが可能となるので、万一、子供などが収容槽内に閉じ込められた際にも、容易に収容扉を開けられるように設定することができる。また、運転中においては、収容槽内の衣類の反力により、容易に収容槽の扉体が開かないため、より安全な衣類処理装置を提供することができる等として有用である。
【符号の説明】
【００３９】
１  扉体
２  ラッチ
３  筐体
４  ドアスイッチ装置
５  レバー
２１  ラッチ挿入穴
４０  爪部
４１，５１  摺接部
４１ａ  第１の平面
４１ｂ  第２の平面
４２  支持部
４２ａ  側面
４５  係止部
Ｐ１  外力
【図１】
2014018450.tif 000003
【図５】
2014018450.tif 000004
【図８】
2014018450.tif 000005
【図１０】
2014018450.tif 000006
【図２】
2014018450.tif 000007
【図３】
2014018450.tif 000008
【図４】
2014018450.tif 000009
【図６】
2014018450.tif 000010
【図７】
2014018450.tif 000011
【図９】
2014018450.tif 000012
【図１１】
2014018450.tif 000013
【図１２】
2014018450.tif 000014